(57)【特許請求の範囲】
【請求項１】
肩掛け用のベルト体（１０）の長手方向中間部位に、使用者の片方の肩の角部を包み込むカップ部（２０）を取り付けてなるショルダーバッグの肩掛けベルト。
【請求項２】
肩掛け用のベルト体（１０）の長手方向中間部位に、中央部が上方に膨出する湾曲上辺（２２）を有した可曲性生地よりなる一対の翼片（２１ａ，２１ｂ）を、その湾曲上辺（２２）に上記ベルト体（１０）の短手方向両側辺が沿うようになして連結してなる、使用者の片方の肩の角部を包み込むカップ部（２０）を取り付けてなるショルダーバッグの肩掛けベルト。
【請求項３】
肩掛け用のベルト体（１０）の長手方向中間部位に、中央部が上方に膨出する湾曲上辺（２２）を有した可曲性生地よりなる一対の翼片（２１ａ，２１ｂ）を、その湾曲上辺（２２）に上記ベルト体（１０）の短手方向両側辺が沿うようになして連結してなる、使用者の片方の肩の角部を包み込むカップ部（２０）を取り付け、
上記両翼片（２１ａ，２１ｂ）の下部には、両者を近接して相互に係合する着脱可能な係合具（３０）を設けてなるショルダーバッグの肩掛けベルト。
【請求項４】
肩掛け用のベルト体（１０）の長手方向中間部位に、中央部が上方に膨出する湾曲上辺（２２）を有した可曲性生地よりなる一対の翼片（２１ａ，２１ｂ）を、その湾曲上辺（２２）に上記ベルト体（１０）の短手方向両側辺が沿うようになして連結してなる、使用者の片方の肩の角部を包み込むカップ部（２０）を取り付け、
上記一方の翼片（２１ａ）の下部には、係止ベルト（３１）の基端部を取り付け、他方の翼片（２１ｂ）の下部には該係止ベルト（３１）が挿通できる通孔（３２）を設け、前記係止ベルト（３１）の先端部位には一方側面ファスナー（３３ａ）を取り付け、一方の翼片（２１ａ）の上記係止ベルト（３１）の先端を前記通孔（３２）を通して折り返して重なる部位には、前記一方側面ファスナー（３３ａ）が係合できる他方側面ファスナー（３３ｂ）を取り付けてなるショルダーバッグの肩掛けベルト。
【請求項５】
肩掛け用のベルト体（１０）の長手方向中間部位に、中央部が上方に膨出する湾曲上辺（２２）を有した可曲性生地よりなる一対の翼片（２１ａ，２１ｂ）を、その湾曲上辺（２２）に上記ベルト体（１０）の短手方向両側辺が沿うようになして連結してなる、使用者の片方の肩の角部を包み込むカップ部（２０）を取り付け、
上記一方の翼片（２１ａ）の下部には、係止ベルト（３１）の基端部を取り付け、他方の翼片（２１ｂ）の下部には該係止ベルト（３１）が挿通できる通孔（３２）を設け、前記係止ベルト（３１）の先端部位には一方側面ファスナー（３３ａ）を取り付け、一方の翼片（２１ａ）の上記係止ベルト（３１）の先端を前記通孔（３２）を通して折り返して重なる部位には、前記一方側面ファスナー（３３ａ）が係合できる他方側面ファスナー（３３ｂ）を取り付け、
前記ベルト体（１０）の両端部位には、ショルダーバッグ本体（１）に取り付けた一方側係止具（２，２）に着脱可能に係合する他方側係止具（３，３）を取り付けてなるショルダーバッグの肩掛けベルト。
【発明の詳細な説明】
【０００１】
【発明の属する技術分野】
本発明は、ショルダーバッグの肩掛けベルトに関するものである。
【０００２】
【従来の技術】
従来、ショルダーバッグの肩掛けベルトには、ずれ落ちを防ぐための「滑り止め体」を設けたものが提案されている。この滑り止め体は、肩掛けベルトを片方の肩に掛けた際、すなわち、肩掛けベルトを片方の肩に掛け、ショルダーバッグは使用者の体の該肩掛けベルトを掛けたと同じ側に提げられるようになした際に、該肩掛けベルトが、肩よりずれ落ちるのを「滑り止め体」の摩擦で防止するようになしてある。
【０００３】
しかし、最近はショルダーバッグを、その肩掛けベルトに首を通して提げる使用例が多くなっている。すなわち、肩掛けベルトを片方の肩に掛け、ショルダーバッグは使用者の体の該肩掛けベルトを掛けた側とは反対側に提げられるようになしている。そして、この肩掛けベルトに首を通す使用法は、ショルダーバッグが不用意に落ちることを（肩掛けベルトがずれ落ちることを）確実に防止でき、携帯用パーソナルコンピュータや写真機等の精密機器の収納、持ち運びに適しているが、この使用法は、該肩掛けベルトが使用者の首近くに当たることになり、その結果、背広を着用していると着崩れが生じやすいという問題点が指摘されている。
【０００４】
また、上記のように、肩掛けベルトが使用者の首近くに当たると、意外と大きな違和感が生ずる（携帯用パーソナルコンピュータや写真機等の精密機器は重いものが多い。）もので、そのために、呼吸が乱れるとか、肩がこりやすくなるという問題点も指摘されている。
【０００５】
【発明が解決しようとする課題】
そこで、本発明は、上記の指摘に鑑みなされたもので、肩掛けベルトに首を通して使用しても、該肩掛けベルトが首の近くには位置・圧接せず、使用者の肩の角部位に保持され、違和感が小さく、着衣の着崩れも抑止できるショルダーバッグの肩掛けベルトを提供することを課題としたものである。
【０００６】
【課題を解決するための手段】
本発明は、上記課題を達成するため、肩掛け用のベルト体１０の長手方向中間部位に、使用者の片方の肩の角部を包み込むカップ部２０を取り付けてなる技術的手段を講じたものである。
【０００７】
それ故、本発明ショルダーバッグの肩掛けベルトは、ベルト体１０に首を通してショルダーバッグ本体を吊り下げるのは従来と同じであるが、その際、上記カップ部２０内に使用者の肩の角部を入れる。すると、このカップ部２０にはベルト体１０を介して、ショルダーバッグの荷重が斜め下方に加わるので、該カップ部２０は使用者の肩の角部位にその位置を保持し、ショルダーバッグ本体は使用者の肩の角に位置した上記カップ部２０より使用者の体を斜めに横切るベルト体１０で吊り下げられる作用を呈する。
【０００８】
そして、上記カップ部２０が、肩の角部位より外れない限り、ベルト体１０の上部湾曲折り返し部が、使用者の首側に近寄ることが防止され、着装時の違和感を低減する作用を呈し、さらに、荷重の多くが肩の角部位で受けられるので、着衣の着崩れが防止される作用を呈するものである。
【０００９】
次に、請求項２の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付けてなる技術的手段を講じたものである。
【００１０】
それ故、本発明ショルダーバッグの肩掛けベルトは、翼片２１ａ，２１ｂとベルト体１０の一部（該翼片２１ａ，２１ｂの上辺間は、ベルト体１０の一部で必ずしも連結しなくてよいのは後記する通りである。）とで、請求項１のカップ部に相当するものを構成するので、請求項１と同じ作用を呈するのに加え、翼片２１ａ，２１ｂを可曲性生地で構成しているので、主要部を生地材の縫製のみで製造できる作用を呈し、また、ベルト体１０が一部金具（図示例とは異なり、金具を使用した場合のみ）を除いて折り曲げ可能となる作用とを呈するものである。
【００１１】
次に、請求項３の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付け、上記両翼片２１ａ，２１ｂの下部には、両者を近接して相互に係合する着脱可能な係合具３０を設けてなる技術的手段を講じたものである。
【００１２】
それ故、本発明ショルダーバッグの肩掛けベルトは、上記請求項２の作用に加えて、係合具３０によって翼片２１ａ，２１ｂの自由端側を近接して相互に係合でき、この状態で該両翼片２１ａ，２１ｂを提手のハンドルとして利用可能となす作用を呈する。
【００１３】
次に、請求項４の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付け、上記一方の翼片２１ａの下部には、係止ベルト３１の基端部を取り付け、他方の翼片２１ｂの下部には該係止ベルト３１が挿通できる通孔３２を設け、前記係止ベルト３１の先端部位には一方側面ファスナー３３ａを取り付け、一方の翼片２１ａの上記係止ベルト３１の先端を前記通孔３２を通して折り返して重なる部位には、前記一方側面ファスナー３３ａが係合できる他方側面ファスナー３３ｂを取り付けてなる技術的手段を講じたものである。
【００１４】
それ故、本発明ショルダーバッグの肩掛けベルトは、前記請求項３の作用を、硬い金具を使用せず、係止ベルト３１と通孔３２と一方側面ファスナー３３ａと他方側面ファスナー３３ｂとのみの、可曲材のみで翼片２１ａ，２１ｂの自由端側を近接して相互に係合できる作用を呈するものである。
【００１５】
また、請求項５の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付け、上記一方の翼片２１ａの下部には、係止ベルト３１の基端部を取り付け、他方の翼片２１ｂの下部には該係止ベルト３１が挿通できる通孔３２を設け、前記係止ベルト３１の先端部位には一方側面ファスナー３３ａを取り付け、一方の翼片２１ａの上記係止ベルト３１の先端を前記通孔３２を通して折り返して重なる部位には、前記一方側面ファスナー３３ａが係合できる他方側面ファスナー３３ｂを取り付け、前記ベルト体１０の両端部位には、ショルダーバッグ本体１に取り付けた一方側係止具２，２に着脱可能に係合する他方側係止具３，３を取り付けてなる技術的手段を講じたものである。
【００１６】
それ故、本発明ショルダーバッグの肩掛けベルトは、前記請求項４の作用にさらに加えて、一方側係止具２，２と他方側係止具３，３とでベルト体１０を着脱可能となす作用を呈するものである。
【００１７】
【実施例】
次に、本発明の実施例を添付図面を参照して詳細に説明する。図中１がショルダーバッグ本体で、このショルダーバッグ本体１は従来公知なもの（学生用は無論、一般用の手提げ兼用ショルダーバッグや、写真機用ショルダーケース等をも含む。）が使用される。そして、このショルダーバッグ本体１には肩掛け用のベルト体１０が取り付けられているのも従来と同じである。
【００１８】
上記ベルト体１０はショルダーバッグ本体に、その両端を脱着不能に取り付ける場合と、着脱可能に取り付ける場合とがあり、本発明はそのいずれでもよいが、図示例では、ショルダーバッグ本体１に一方側係止具２，２を取り付け、ベルト体１０の両端には該一方側係止具２，２に着脱可能に係合する他方側係止具３，３を取り付けてなる。
【００１９】
そして、上記肩掛け用のベルト体１０の長手方向中間部位に、使用者の片方の肩の角部を包み込むカップ部２０を取り付けてなる。このカップ部２０は、図示例では、湾曲上辺２２を有した可曲性生地よりなる一対の翼片２１ａ，２１ｂを、その湾曲上辺２２に上記ベルト体１０の短手方向両側辺が沿うようになして連結して構成してなるが、使用者（一般人の）の肩の角部を片側より包み込む形状であれば良く、その材質も、布地、皮革等に、特に限定されるものではなく、合成樹脂や合成ゴムの一体成形で構成する等してもよい。
【００２０】
図示はしていないが、上記ベルト体１０は、そのショルダーバッグ本体１を介装してループ状となった部位に、使用者が首と片方の腕とを通し、該ベルト体１０が使用者の片方の肩から、使用者の体を斜めに横切り、ショルダーバッグ本体１は使用者の体の、該ベルト体１０を掛けた肩側とは反対側に吊り下げられるようにするのは従来の一般的なショルダーバッグと同じである。そして、従来はこのベルト体１０は、その上端が使用者の肩の首から肩先の間の適宜部位に当接する状態で使用され、使用中にはショルダーバッグ本体１の荷重で、該ベルト体１０には、使用者の首の反対側斜め下方に引く力が加わるので、該ベルト体１０は使用にともなって、順次首に近づこうとする。従って、このベルト体１０の移動で、着衣が着崩れする大きな原因となり、また、ベルト体１０が首に圧接すると、首で相応の荷重を受けることになり、大きな違和感が生じたり、肩こりの要因ともなるとされている。
【００２１】
そこで、本発明では、カップ部２０内に使用者の肩を入れて、ベルト体１０が使用者の肩の角部位から斜め下方に向かうようにして使用する。すると、該カップ部２０は肩の角部位をその内側に包み込んでいるので、斜め下方への荷重が加わってもその位置を変位することはなく、前記したような着衣の着崩れを防ぎ、ベルト体１０の首への圧接も防止できるので、使用に際しての違和感もなく、肩こり等の原因になりづらいショルダーバッグの肩掛けベルトを提供できるものである。
【００２２】
次に、請求項２の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付けてなるものである。すなわち、本発明は、カップ部２０を、ベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結して形成したものである。
【００２３】
請求項１において、上記カップ部はその形状、材質を特に問題としないとしたが、肩を包み込むには相応の大きさが必要で、その大きさは使用時は何ら問題とならないが、不使用時は収納スペースの点で問題となる。また、カップ部２０の材質によっては、ベルト体１０の途中に介装することも困難になるため、本発明では該カップ部２０をベルト体１０の一部と可曲性生地よりなる一対の翼片２１ａ，２１ｂとで構成し、製造が縫製のみで行え、折曲収納することも可能となしたものである。
【００２４】
なお、本願においては、一対の翼片２１ａ，２１ｂを、その湾曲上辺２２に上記ベルト体１０の短手方向両側辺が沿うようになして連結してあり、これは、一対の翼片２１ａ，２１ｂの湾曲上辺２２，２２間を、ベルト体１０の一部で連結することを意味するものであるが、このベルト体１０は必ずしも一連のものであることまで必須とするものではなく、湾曲上辺２２，２２間を連結する部位は分断されたベルト構成体で構成しても良く、すなわち、翼片２１ａ，２１ｂの湾曲上辺２２，２２間を、図３に示すベルト体１０と略同幅の帯状生地２３で連結して、予め別個のカップ部２０を構成、このカップ部２０の両端に（帯状生地２３の長手方向両端部位に）ベルト体１０の各構成部材の一端を夫々（縫合）連結するようになしても実質的に同じである。この図３のカップ部２０は、帯状生地２３の裏面側にクッション材２３ａをあてがい、その下面を裏地２３ｂで覆ってある。そして、この帯状生地２３は短手方向両端（図３奥手前端）を縫い代部２４として直角状に折り曲げると共に、長手方向は翼片２１ａ，２１ｂの湾曲上辺２２，２２に沿わせて湾曲し、翼片２１ａ，２１ｂの上辺の縁部位と前記縫い代部２４と縫い糸２５で縫合している。
【００２５】
なお、上記の帯状生地２３にはクッション材２３ａを収納すると荷重の均一化ができ違和感がより低減して望ましいものである。また、一対の翼片２１ａ，２１ｂには多少の伸縮性を有するようになすと、肩の形状に適合して、これも使用時の違和感低減に寄与できるものであるが、実際には、ベルト体１０の湾曲率を変更すると、翼片２１ａ，２１ｂの下端の両自由端側の距離が変化してカップ部の開口部の形状を変え使用者の肩の形状に適合するので、翼片２１ａ，２１ｂの伸縮性はなくても実用上の支障は全くないものであった 。
【００２６】
次に、請求項３の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付けてなるのは、請求項２と同じ構成である。
【００２７】
そして、本発明は、上記両翼片２１ａ，２１ｂの下部には、両者を近接して相互に係合する着脱可能な係合具３０を設けてなる。すなわち、本発明では、両翼片２１ａ，２１ｂの下部の自由端側を閉じ合わせて係止できるようになしている。最近、ショルダーバッグのショルダー帯を握持して手に提げて携行する人もおり、本発明では、上記カップ部２０を、場合によっては握持ハンドルとしても使用可能となしたもので、両翼片２１ａ，２１ｂの下部を係合具３０で着脱可能に係止することで、カップ部２０が筒状の握持部としても使用できるようになしたものである。なお、上記着脱可能な係合具３０としては従来公知なものを使用すればよい。
【００２８】
次に、請求項４の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付けてなるのは請求項２及び請求項３と同じ構成である。
【００２９】
そして、本発明は、上記一方の翼片２１ａの下部には、係止ベルト３１の基端部を取り付け、他方の翼片２１ｂの下部には該係止ベルト３１が挿通できる通孔３２を設け、前記係止ベルト３１の先端部位には一方側面ファスナー３３ａを取り付け、一方の翼片２１ａの上記係止ベルト３１の先端を前記通孔３２を通して折り返して重なる部位には、前記一方側面ファスナー３３ａが係合できる他方側面ファスナー３３ｂを取り付けてなる。すなわち、本発明は、請求項３の係合具３０を、係止ベルト３１（一方側面ファスナー３３ａと他方側面ファスナー３３ｂとを含む。）と、通孔３２とで構成したものである。
【００３０】
図４において、係止ベルト３１の基端部は図奥側の翼片２１ａに取り付けられ、通孔３２は手前側の翼片３１ｂに設けてある。そして、上記一方側面ファスナー３３ａは係止ベルト３１の同図裏側（図奥に向く面側）に取り付けられ、他方側面ファスナー３３ｂは、図奥側の翼片２１ａの外面側に取り付けられているが、その取付部位は、前記係止ベルト３１の一方側面ファスナー３３ａを取り付けた面の基端部側であってもよい。
【００３１】
なお、上記係合具３０としては、代表的には係合金具が利用できる。そして、該係合具３０は、ホック金具等を使用しても無論差し支えはないが、本発明では、この翼片２１ａ，２１ｂ部位を握持した際に最も違和感が少ないようになすためと、他の部位と共に縫製によって製造できる便宜性とに鑑み、該係合具３０を上記のごとく、係止ベルト３１と通孔３２とで構成したものである。
【００３２】
なお、上記通孔３２はその位置を適宜部位に設定する（図３の上下方向に移動した位置に設定する。）ことで、両翼片２１ａ，２１ｂの下部の自由端側を閉じ合わせる際の重ね合わせ量を、適宜に設定できるもので、カップ部２０を握持ハンドルとして使用する際のその握持部の径を適宜に設定するのに便利である。
【００３３】
次に、請求項５の発明は、肩掛け用のベルト体１０の長手方向中間部位に、中央部が上方に膨出する湾曲上辺２２を有した可曲性生地よりなる一対の翼片２１ａ，２１ｂを、その湾曲上辺２２に上記ベルト体１０の短手方向両側辺が沿うようになして連結してなる、使用者の片方の肩の角部を包み込むカップ部２０を取り付け、上記一方の翼片２１ａの下部には、係止ベルト３１の基端部を取り付け、他方の翼片２１ｂの下部には該係止ベルト３１が挿通できる通孔３２を設け、前記係止ベルト３１の先端部位には一方側面ファスナー３３ａを取り付け、一方の翼片２１ａの上記係止ベルト３１の先端を前記通孔３２を通して折り返して重なる部位には、前記一方側面ファスナー３３ａが係合できる他方側面ファスナー３３ｂを取り付けてなるのは、請求項４と同じ構成である。
【００３４】
そして、本発明は、前記ベルト体１０の両端部位には、ショルダーバッグ本体１に取り付けた一方側係止具２，２に着脱可能に係合する他方側係止具３，３を取り付けてなる。すなわち、翼片２１ａ，２１ｂを可曲性生地で構成することで、上記カップ部２０は折り畳んでコンパクト化できるが、ショルダーバッグを手提げバッグとして使用する場合等は、なお、該カップ部が持ち運びの支障となる。そこで、本発明ではカップ部２０をベルト体１０と共に着脱可能となすことで、ショルダーバッグ本体１を手提げバッグに兼用し易いようになしたものである。
【００３５】
なお、ベルト体１０の両端部位に取り付けられる上記他方側係止具３，３は、該ベルト体１０を挿通できる窓孔部３ａを設け、該他方側係止具３はベルト体１０を該窓孔部３ａに通して保持され、該窓孔部３ａを挿通したベルト体１０の先端は該ベルト体１０の途中にスライド可能に設けた通常コキと称する（バックルの係止爪のないもの）連結位置調整金具４に固定され、この連結位置調整金具４の位置移動でベルト体１０の全長が調整可能となる（従来公知技術）ようになしてある。
【００３６】
【発明の効果】
請求項１乃至請求項５の発明によれば、ショルダー用のベルト体１０を肩の角に掛けるという、従来にない使用法を伴う提案により、大きな荷重によっても違和感の少ない、かつ、着衣の着崩れの少ないショルダーバッグの肩掛けベルトを提供できるものである。
【図面の簡単な説明】
【図１】本発明ショルダーバッグの肩掛けベルトの一実施例を着装した、ショルダーバッグの部分正面図である。
【図２】側面図である。
【図３】要部の部分断面正面図である。
【符号の説明】
１      ショルダーバッグ本体
２      一方側係止具
３      他方側係止具
１０      ベルト体
２０      カップ部
２１ａ    翼片
２１ｂ    翼片
２２      湾曲上辺
３０      係合具
３１      係止ベルト
３２      通孔
３３ａ    一方側面ファスナー
３３ｂ    他方側面ファスナー
【図１】
0003662223.tif 000002
【図２】
0003662223.tif 000003
【図３】
0003662223.tif 000004